(57)【特許請求の範囲】
【請求項１】
受電端末に対して行う給電装置の電力供給動作を予め設定された制御ポリシーに基づき制御する電源管理装置であって、
予め前記受電端末それぞれの識別用に登録された端末識別情報を記憶する端末管理情報記憶部と、
前記給電装置の有する接続ポートにおける接続状態を示す接続状態情報を前記給電装置から取得し当該接続状態情報に基づき前記受電端末の接続先である給電装置の接続ポートを特定する接続先特定部と、
前記給電装置が前記接続ポートにおける接続断を検出した場合に、前記給電装置から送信されるリンクダウン信号に基づき前記接続断を行った受電端末および前記接続ポートを特定すると共に、この受電端末を検索対象として前記端末識別情報に対応付けて記憶する切断端末特定部と、
前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定部と、
前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを備えたことを特徴とする電源管理装置。
【請求項２】
請求項１に記載の電源管理装置において、
前記接続状態情報に基づき空き接続ポートを特定すると共に、当該空き接続ポートにおける電力供給を定期的に起動する制御を行うことにより、前記空き接続ポートに対する前記受電端末の接続を前記リンクアップ信号の発生として検出する電力供給起動接続検知部を備えたことを特徴とする電源管理装置。
【請求項３】
請求項１に記載の電源管理装置において、
前記給電制御部は、前記制御ポリシーとして予め前記受電端末に対応して設定した電源設定時刻に基づき、前記給電装置からの電力供給起動および電源供給抑制動作を制御する時刻制御機能を備えたことを特徴とする電源管理装置。
【請求項４】
予め自己に設けられた接続ポートに接続した受電端末に対し電力供給を行う給電装置と、前記給電装置における電力供給動作を予め設定された制御ポリシーに基づき制御する電源管理装置とを備えた電力供給制御システムであって、
前記給電装置は、
前記接続ポートにおける接続断を検出した場合に前記接続断を行った接続端末にかかる情報を含むリンクダウン信号を前記電源管理サーバに送信するリンクダウン信号送信部と、前記接続ポートに対する新規接続が検出された場合に前記新規接続を行った接続端末にかかる情報を含む新規接続通知用のリンクアップ信号を前記電源管理サーバに送信するリンクアップ信号送信部とを有し、
前記電源管理装置は、
予め前記受電端末それぞれの識別用に登録された端末識別情報を記憶する端末管理情報記憶部と、
前記給電装置の接続ポートにおける接続状態を示す接続状態情報を前記給電装置から取得し当該接続状態情報に基づき前記受電端末の接続先である給電装置の接続ポートを特定する接続先特定部と、
前記接続ポートにおける接続断が検出された場合に、前記リンクダウン信号に基づき前記接続断を行った受電端末と前記接続ポートとを特定すると共にこの受電端末を検索対象として前記端末識別情報に対応付けて記憶する切断端末特定部と、
前記接続ポートに対する新規接続が検出された場合に前記リンクアップ信号に基づき前記新規接続を行った接続端末の接続先である前記給電装置および接続ポートを特定する新規接続検出特定部と、
前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを有することを特徴とした電力供給制御システム。
【請求項５】
請求項４に記載の電力供給制御システムにおいて、
前記電源管理装置は、前記接続状態情報に基づき空き接続ポートを特定すると共に、当該空き接続ポートにおける電力供給を定期的に起動する制御を行うことにより、前記空き接続ポートに対する前記受電端末の接続を前記リンクアップ信号の発生として検出する電力供給起動接続検知部を備えたことを特徴とする電力供給制御システム。
【請求項６】
請求項４に記載の電力供給制御システムにおいて、
前記給電制御部は、前記制御ポリシーとして予め前記受電端末に対応して設定した電源設定時刻に基づき、前記給電装置からの電力供給起動および電源供給抑制動作を制御する時刻制御機能を備えたことを特徴とする電力供給制御システム。
【請求項７】
予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御する電力供給制御方法であって、
前記電源管理サーバは、前記給電装置の有する接続ポートにおける接続状態を示す接続状態情報を前記給電装置から取得すると共に、当該接続状態情報に基づき前記受電端末の接続先である給電装置の接続ポートを特定し、
前記給電装置が前記接続ポートにおける接続断を検出した場合に、前記給電装置から送信されるリンクダウン信号に基づき前記接続断を行った受電端末および前記接続ポートを特定し、この受電端末を検索対象として前記受電端末の識別用に予め登録された端末識別情報に対応付けて記憶し、
前記給電装置が前記接続ポートに対する新規接続を検出した場合に前記給電装置から送信されるリンクアップ信号に基づき前記新規接続を行った接続端末の接続先である前記給電装置および接続ポートを特定し、
前記給電装置が検出した接続端末が前記検索対象として記憶された前記受電端末である場合に当該受電端末に対する前記電力供給動作を起動することを特徴とした電力供給制御方法。
【請求項８】
予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御するための電力供給制御プログラムであって、
前記給電装置の有する接続ポートにおける接続状態を示す接続状態情報を前記給電装置から取得すると共に当該接続状態情報に基づき前記受電端末の接続先である給電装置の接続ポートを特定する接続先特定機能と、
前記給電装置が前記接続ポートにおける接続断を検出した場合に、前記給電装置から送信されるリンクダウン信号に基づき前記接続断を行った受電端末および前記接続ポートを特定すると共にこの受電端末を検索対象として前記受電端末の識別用に予め登録された端末識別情報に対応付けて記憶する切断端末特定機能と、
前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定機能と、
前記給電装置が検出した接続端末が前記検索対象として記憶された前記受電端末である場合に、当該受電端末に対する前記電力供給動作を起動する電力再供給起動機能と、
をコンピュータに実行させることを特徴とした電力供給制御プログラム。
【発明の詳細な説明】
【技術分野】
【０００１】
本発明は、受電装置に対する電力供給を行う給電装置を管理するシステムに関し、特に、給電装置による電力供給動作を制御する電力供給制御システムに関する。
【背景技術】
【０００２】
企業ＬＡＮのノードとして設置されたコンピュータ端末、サーバ、ＬＡＮ機器などにおいては、全体としての電力消費量が膨大となるため、省電力化が求められており、特に、利用されていない時間帯においては、機器の電源をオフ状態に設定することが求められる。
【０００３】
これに対して、例えば、ＰｏＥ（Ｐｏｗｅｒ  ｏｖｅｒ  Ｅｔｈｅｒｎｅｔ）（Ｅｔｈｅｒｎｅｔは登録商標）を利用して、給電装置（ＰｏＥ給電装置）から受電装置（ＰｏＥ受電装置）にイーサネット（登録商標）を介して電力供給を行うことにより、ネットワークを構成する各機器に対して効率的な給電を行う給電システムが、ＩＥＥＥ８０２．３ａｆ，ＩＥＥＥ８０２．３ａｔで標準化されている。
例えば、上記ＰｏＥのＩＥＥＥ８０２．３ａｔでは、１ポートあたり３０Ｗ（ワット）の電力を供給できるよう標準化が進められ、今後、より多くの種類の装置でのＰｏＥ利用が進むものと予想されている。
【０００４】
また、ＰｏＥ受電装置としては、無線アクセスポイントやネットワークカメラ、ＩＰ電話機など様々な機器含まれ、ＰｏＥ給電装置を操作制御することにより、通信回線を介してＰｏＥ受電装置の電源遠隔（リモート）制御を行うことが可能となる。
また、ＰｏＥ給電装置側の設定により、ポート毎の電力供給をスケジュール制御することが可能な電源制御システムが利用されている。
【０００５】
しかしながら、ＰｏＥの電源制御システムでは、一般に、ＰｏＥ給電装置のポート単位で設定が行われるため、例えば、ＰｏＥ受電装置を移設した場合に、新たに接続したＰｏＥ給電装置のポートを正確に把握し、そのポートに対しての設定を実施しなければ意図した通りの電源制御を行うことができないという不都合がある。
【０００６】
また、企業内において、例えばＩＰ電話機は、通常各社員に一台割り当てられているため、人事異動時に新たなフロアなどに移設される場合がある。
このため、ネットワーク管理者がすべての移設先（ＰｏＥ給電装置の接続箇所）を正確に把握し、場合によっては、それらの接続先になるＰｏＥ給電装置の各ポートの設定を変更する必要が生じ得る。
【０００７】
特に、ＰｏＥ受電装置の移設作業時にＰｏＥ受電装置がＰｏＥ給電装置のどのポートに接続されているか、つまり、企業ネットワークのような大規模ネットワークでＰｏＥに利用されるポートを正確に管理するには、膨大な工数と手間がかかってしまうといった不都合がある。
【０００８】
また、上述のように、ＰｏＥ受電装置が移設された場合などには、ネットワーク管理者は、ＰｏＥ受電装置の移設先に応じて、再度ＰｏＥ給電装置側の設定を変更しなければならず、正確に把握されていない場合には、利用者の意図した通りにＰｏＥ受電装置の電源制御を行うことができないといった不都合が生じ得る。
【０００９】
これに対する関連技術として、受電装置やこの受電装置を利用するユーザの物理的な位置情報を検出すると共に、最終的にどのユーザ（および受電装置）が存在する場所を示すプレゼンス表を作成することにより管理して、これに基づき受電装置に対する電力供給を制御するシステムが開示されている（特許文献１）。
また、この関連技術として、ラック内に複数の異なるサーバコンピュータを搭載した場合のネットワークケーブル接続を効率的に管理するシステムが開示されている（特許文献２）。
【００１０】
また、上記内容の関連技術として、各種受電装置における電源制御する方法を、ネットワークを介してリモート管理し、ユーザの制御スイッチから、例えば、蛍光灯の明かりを消すのと同等の操作により、受電装置の電源供給動作（電源のＯＮ／ＯＦＦ）を制御する技術が開示されている（特許文献３）。
【先行技術文献】
【特許文献】
【００１１】
【特許文献１】特開２００７−３３５９２３号公報
【特許文献２】特開２００７−２２１７６１号公報
【特許文献３】特開２００９−１９９４５５号公報
【発明の概要】
【発明が解決しようとする課題】
【００１２】
しかしながら、上記特許文献１〜２に記載の関連技術の内容では、ＰｏＥ受電装置の移動接続先のポートを正確に検出することができないため、移動先のＰｏＥ受電装置に対して確実に電力供給を行うことができないという不都合が生じ得る。
【００１３】
また、上記特許文献３に記載の関連技術でも、受電装置の移動および再接続が考慮されていないため、移動を行った場合の電源制御については管理者が移動先やその場所での電源制御手順を登録しなおす必要が生じ、膨大な手間がしまうといった不都合がある。
【００１４】
［発明の目的］
本発明は、上記関連技術の有する不都合を改善し、移設可能に設置された受電端末に対して確実に電源供給を行う電源管理装置、電力供給制御システム、電力供給制御方法、および電力供給制御プログラムを提供することを、その目的とする。
【課題を解決するための手段】
【００１５】
上記目的を達成するため、本発明に係る備えた構成を有する。
【００１６】
また、本発明に係る電源管理装置は、受電端末に対して行う給電装置の電力供給動作を予め設定された制御ポリシーに基づき制御する電源管理装置であって、予め前記受電端末それぞれの識別用に登録された端末識別情報を記憶する端末管理情報記憶部と、前記給電装置の有する接続ポートにおける接続状態を示す接続状態情報を前記給電装置から取得し当該接続状態情報に基づき前記受電端末の接続先である給電装置の接続ポートを特定する接続先特定部と、前記給電装置が前記接続ポートにおける接続断を検出した場合に、前記給電装置から送信されるリンクダウン信号に基づき前記接続断を行った受電端末および前記接続ポートを特定すると共に、この受電端末を検索対象として前記端末識別情報に対応付けて記憶する切断端末特定部と、前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定部と、前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを備えたことを特徴としている。
【００１７】
また、本発明に係る電力供給管理システムは、  予め自己に設けられた接続ポートに接続した受電端末に対し電力供給を行う給電装置と、前記給電装置における電力供給動作を予め設定された制御ポリシーに基づき制御する電源管理装置とを備えた電力供給制御システムであって、前記給電装置は、前記接続ポートにおける接続断を検出した場合に前記接続断を行った接続端末にかかる情報を含むリンクダウン信号を前記電源管理サーバに送信するリンクダウン信号送信部と、前記接続ポートに対する新規接続が検出された場合に前記新規接続を行った接続端末にかかる情報を含む新規接続通知用のリンクアップ信号を前記電源管理サーバに送信するリンクアップ信号送信部とを有し、前記電源管理装置は、予め前記受電端末それぞれの識別用に登録された端末識別情報を記憶する端末管理情報記憶部と、前記給電装置の接続ポートにおける接続状態を示す接続状態情報を前記給電装置から取得し当該接続状態情報に基づき前記受電端末の接続先である給電装置の接続ポートを特定する接続先特定部と、前記接続ポートにおける接続断が検出された場合に、前記リンクダウン信号に基づき前記接続断を行った受電端末と前記接続ポートとを特定すると共にこの受電端末を検索対象として前記端末識別情報に対応付けて記憶する切断端末特定部と、前記接続ポートに対する新規接続が検出された場合に前記リンクアップ信号に基づき前記新規接続を行った接続端末の接続先である前記給電装置および接続ポートを特定する新規接続検出特定部と、前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを有することを特徴としている。
【００１８】
また、本発明に係る電力供給管理方法は、予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御する電力供給制御方法であって、前記電源管理サーバは、前記給電装置の有する接続ポートにおける接続状態を示す接続状態情報を前記給電装置から取得すると共に、当該接続状態情報に基づき前記受電端末の接続先である給電装置の接続ポートを特定し、前記給電装置が前記接続ポートにおける接続断を検出した場合に、前記給電装置から送信されるリンクダウン信号に基づき前記接続断を行った受電端末および前記接続ポートを特定し、この受電端末を検索対象として前記受電端末の識別用に予め登録された端末識別情報に対応付けて記憶し、前記給電装置が前記接続ポートに対する新規接続を検出した場合に前記給電装置から送信されるリンクアップ信号に基づき前記新規接続を行った接続端末の接続先である前記給電装置および接続ポートを特定し、前記給電装置が検出した接続端末が前記検索対象として記憶された前記受電端末である場合に当該受電端末に対する前記電力供給動作を起動することを特徴としている。
【００１９】
また、本発明に係る電力提供制御プログラムは、予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御するための電力供給制御プログラムであって、前記給電装置の有する接続ポートにおける接続状態を示す接続状態情報を前記給電装置から取得すると共に当該接続状態情報に基づき前記受電端末の接続先である給電装置の接続ポートを特定する接続先特定機能と、前記給電装置が前記接続ポートにおける接続断を検出した場合に、前記給電装置から送信されるリンクダウン信号に基づき前記接続断を行った受電端末および前記接続ポートを特定すると共にこの受電端末を検索対象として前記受電端末の識別用に予め登録された端末識別情報に対応付けて記憶する切断端末特定機能と、前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定機能と、前記給電装置が検出した接続端末が前記検索対象として記憶された前記受電端末である場合に、当該受電端末に対する前記電力供給動作を起動する電力再供給起動機能とをコンピュータに実行させることを特徴としている。
【発明の効果】
【００２０】
本発明は、上述したように、給電装置のポートにおける接続状態を示す接続状態情報に基づき当該ポートに接続した受電端末の接続先ポートを特定する接続先特定部と、給電装置が接続ポートにおける接続断を検出した場合に当該接続断を行った受電装置および接続ポートを特定し検索対象として記憶する切断端末特定部と、受電装置が接続ポートに対して接続した場合に給電装置から送信されるリンクアップ信号に基づき検索対象としての受電端末を特定し、この特定された受電端末が接続した接続ポートにおける電力供給を起動する制御を行う給電制御部を備えた構成としたことにより、移設可能にネットワーク接続した受電端末に対して電源制御ポリシーに基づく電源供給を正確に行う電源管理装置、電力供給制御システム、電力供給制御方法、および電力供給制御プログラムを提供することができる。
【図面の簡単な説明】
【００２１】
【図１】本発明の実施形態に係る電力供給制御システムの一実施形態を示す概略ブロック図である。
【図２】図１で示した電力供給制御システムにおける試算情報管理・電源制御プログラム部の一内部構成を示すブロック図である。
【図３】図１で示した電力供給制御システムにおけるリンクダウントラップ受信時の動作処理ステップを示すフローチャートである。
【図４】図１で示した電力供給制御システムにおけるＰｏＥ受電装置の移設中の動作処理ステップを示すフローチャートである。
【図５】図１で示した電力供給制御システムにおけるリンクアップトラップ受信時の動作処理ステップを示すフローチャートである。
【図６】図１で示した電力供給制御システムにおける資産情報テーブルの一例を示す説明図である。
【図７】図１で示した電力供給制御システムにおける電源部情報テーブルの一例を示す説明図である。
【図８】図１で示した電力供給制御システムにおける電源制御ポリシー情報の登録処理の動作ステップを示すフローチャートである。
【図９】図１で示した電力供給制御システムにおける電源制御ポリシーテーブルの一例を示す説明図である。
【図１０】図１で示した電力供給制御システムにおける電源制御テーブルの一例を示す説明図である。
【図１１】図１で示した電力供給制御システムにおける電源制御処理の動作ステップを示すフローチャートである。
【発明を実施するための形態】
【００２２】
［実施形態］
次に、本発明を実施するための実施形態について図面を参照して説明する。
【００２３】
本発明の実施形態である電力供給制御システムは、図１に示すように、ネットワーク回線（イーサネット回線）を介して接続し、異なるＰｏＥ受電装置それぞれに対してＰｏＥを利用した電源供給を行うＰｏＥ給電装置１１、１２と、ＰｏＥ給電装置１１にネットワーク回線（イーサネット回線）を介して接続しＰｏＥ給電装置１１からの電源供給を受けることにより動作するＰｏＥ受電装置２１、２２、および２３と、ＰｏＥ給電装置１１および１２にネットワークを介して接続され、このＰｏＥ給電装置１１および１２における電源供給動作（給電動作）を予め設定された給電ポリシーに基づき制御する電源管理サーバ（電源管理装置）１００を備えた構成を有する。
また、電力供給制御システムは、図１に示すように、ＰｏＥ給電装置１１、１２、ＰｏＥ受電装置２１、２２、および２３それぞれに対してネットワークを介してＩＰアドレスの割当てを行うＤＨＣＰサーバ２００を有する。
【００２４】
更に、本実施形態では、ＰｏＥ受電装置（ＩＰ電話機）２２がＰｏＥ給電装置１１との接続が解除されＰｏＥ給電装置１２に接続される移設が行われた場合（図１）にも、電源管理サーバ１００によるＰｏＥ給電装置１１および１２の給電動作を有効に制御することにより、ＰｏＥ受電装置２２に対する安定した電源供給を実現する。
【００２５】
ここで、ＰｏＥ給電装置１１、１２は、具体的には、それぞれＭＩＢを備えたＰｏＥ対応スイッチングハブであるものとする。また、ＰｏＥ受電装置２１、２２、および２３は、それぞれ無線アクセスポイント、ＩＰ電話機、およびネットワークカメラであるものとする。
【００２６】
電源管理サーバ１００は、図２に示すように、ネットワークを介してＰｏＥ給電装置１１および１２における電源供給動作（給電動作）の制御を行う資産情報管理・電源制御プログラム部１０１を有し、この資産情報管理・電源制御プログラム部１０１は、図２に示すように、ＰｏＥ給電装置１１、１２からネットワークを介して送り込まれるＳＮＭＰ  Ｔｒａｐを受信するイベント受信部１０２と、このイベント受信部１０２からＰｏＥ給電装置１１、１２のポートにおけるリンクの状態を示す情報（ｌｉｎｋＤｏｗｎ  Ｔｒａｐ（リンクダウントラップ）またはｌｉｎｋＵｐ  Ｔｒａｐ（リンクアップトラップ））を取得する資産情報管理部１０３と、各ＰｏＥ受電装置（２１〜２３）におけるＭＡＣアドレスなどの資産情報を記憶保持する管理データベース１０４と、ＰｏＥ給電装置１１、１２それぞれに具備されたＭＩＢに格納されているＭＡＣアドレステーブルの情報を取得し分析するネットワーク検索部１０５と、各ＰｏＥ受電装置２１〜２３それぞれの電源状態（ＯＮ／ＯＦＦ）に係る情報を示す電源ポリシー情報を記憶保持する電源制御ポリシーデータベース（ＤＢ）１０７と、電源制御ポリシーＤＢ１０７に対して各ＰｏＥ受電装置２１〜２３それぞれにおける電源オン／オフ状態のスケジュール制御情報を登録、更新、および削除する処理を行う電源制御部１０６を有する。
【００２７】
イベント受信部１０２は、ＰｏＥ給電装置から送り込まれたＳＮＭＰ Ｔｒａｐを受信し、ｌｉｎｋＤｏｗｎ  ＴｒａｐおよびｌｉｎｋＵｐ  Ｔｒａｐの情報を資産情報管理部１０３に通知する。
【００２８】
資産情報管理部１０３は、資産情報管理データベース  にＰｏＥ受電装置  のＭＡＣアドレスを含む資産情報とＰｏＥ受電装置における電源部として電力供給するポートのポート番号を示す情報を登録、更新、または削除する処理を行うポート情報登録機能と、ポート情報の検索を行うポート情報検索機能を有する。
【００２９】
ネットワーク検索部１０５は、資産情報管理部からの指示に基づきＰｏＥ給電装置に対して発行したＳＮＭＰ  Ｇｅｔを送信し、ＰｏＥ給電装置のＭＩＢに格納されているＭＡＣアドレステーブルの情報を取得する給電装置テーブル情報取得機能を有する。
ここで、ＳＮＭＰ  Ｇｅｔは、ＭＩＢに格納されているＭＡＣアドレステーブルの情報の取得用のメッセージ情報を示す。
また、ネットワーク検索部１０５は、取得したＭＡＣアドレステーブルの内容を分析すると共にこの分析結果を資産情報管理部１０３に通知する給電装置テーブル情報分析機能を備えている。
【００３０】
電源制御部１０６は、電源制御ポリシーデータベースに各ＰｏＥ受電装置の電源ＯＮ／ＯＦＦのスケジュール制御にかかる情報（電源制御スケジュール情報）を登録、更新、または削除する処理を行うスケジュール動作登録機能と、この電源制御スケジュール情報の検索を行うスケジュール情報検索機能を有する。
また、電源制御部１０６は、資産情報管理部１０３からの指示に基づきＰｏＥ給電装置におけるポートの電力供給動作の起動または停止（ＯＮ／ＯＦＦ）を制御するポート動作制御機能を有する。
【００３１】
電源制御ポリシーＤＢ１０７は、一般的なＳＮＭＰマネージャの処理手法を用いて、予め設定されたネットワーク上におけるＰｏｗｅｒ  Ｅｔｈｅｒｎｅｔ  ＭＩＢ（ＲＦＣ３６２１）を実装した装置を検出すると共に、当該検出された装置のＰｏｗｅｒ  Ｅｔｈｅｒｎｅｔ  ＭＩＢからＰｏＥで利用される電力供給ポートの情報（ポート情報）を収集し、このポート情報に基づき電源部情報テーブル（図７）を生成する電源部情報テーブル生成機能を有する。
【００３２】
以上のように、本実施形態では、電源管理サーバ１０１がＰｏＥ給電装置の電力供給ポートの情報を、ＰｏＥ受電装置の資産情報の一部として管理することにより、ＰｏＥ受電装置の移設先を検知し、電力供給ポートに関する情報の更新を行う。
このため、移設されたＰｏＥ受電装置（２２）に対しても電源制御ポリシーに基づき確実に電源供給を行なうことができる。
【００３３】
また、通常、ＰｏＥ給電をオフの状態に設定されているポートに接続されたＰｏＥ受電装置には（ｌｉｎｋＵｐ Ｔｒａｐが発生しないため）が電源が入らないが、本実施形態では、この場合に対しても、特定された空きポートの電力供給動作を起動する制御を行う設定としたことにより、ＰｏＥ受電装置が接続したポートを検出することが可能となる。
【００３４】
更に、本実施形態では、ＰｏＥ受電装置の電源制御ポリシー（制御ポリシー）の登録が、ＰｏＥ給電装置側（ポート）ではなく、ＰｏＥ受電装置それぞれに対応して行われる。このため、電源制御テーブル（図１０）に基づき、移設したＰｏＥ受電装置それぞれに対して予め設定された電源制御ポリシーに基づき電力供給制御を行うことできる。
【００３５】
［実施形態の動作説明］
次に、上記の実施形態の全体的な動作について説明する。
【００３６】
資産情報管理・電源制御プログラム部１０１は、ＰｏＥ給電装置の有する接続ポートにおける接続状態を示す接続状態情報を前記給電装置から取得し、この接続状態情報に基づきＩＰ電話機２２の接続先であるＰｏＥ給電装置１１の接続ポートを特定する（接続先特定工程）。
【００３７】
次いで、ＰｏＥ給電装置１１が、接続ポートにおける接続断を検出した場合に、ＰｏＥ給電装置１１から送信されるリンクダウン信号に基づき、接続断を行ったＩＰ電話機２２およびその接続ポートを特定し、このＩＰ電話機２２を検索対象として受電端末の識別用に予め登録された端末識別情報に対応付けて記憶する（切断端末特定工程）。
【００３８】
次に、資産情報管理・電源制御プログラム部１０１は、ＰｏＥ給電装置１２が接続ポートに対する新規接続を検出した場合に送信するリンクアップ信号に基づき、新規接続を行った接続端末の接続先である前記給電装置および接続ポートを特定し（新規接続検出特定工程）、検出された端末が検索対象として予め登録されたＩＰ電話機２２である場合に、ＩＰ電話機２２が接続したポートにおける電力供給動作を起動する（電力再供給起動工程）。
【００３９】
ここで、上記接続先特定工程、切断端末特定工程、新規接続検出特定工程、および電力再供給起動工程については、その実行内容をプログラム化し、コンピュータに実行させるように構成としてもよい。
【００４０】
次に、本実施形態の動作について詳説する。
【００４１】
本実施形態では、ＰｏＥ受電装置（２１〜２３）は、ＰｏＥ給電装置１１からＰｏＥを利用した電源供給を受け動作しているものとする。ここで、ＰｏＥ受電装置２２がＰｏＥ給電装置１１に対する接続を切断し（リンク断発生）、その後、ＰｏＥ受電装置２２が別のＰｏＥ給電装置１２に接続してＰｏＥ給電装置１２から電源供給（電力供給）を受ける。
【００４２】
以下、ＰｏＥ受電装置２２が、図１に示すように、ＰｏＥ給電装置１２（ポート１）へと移設された場合の動作について、フローチャート（図３、４、および５）に基づき説明する。
【００４３】
まず、ＰｏＥ給電装置１１は、ＰｏＥ受電装置２２のＰｏＥ給電装置１１に対する接続が切断された場合に、リンクダウン（ｌｉｎｋＤｏｗｏｎ）が発生したことを示すメッセージとしてのＳＮＭＰ  Ｔｒａｐを生成し、このＳＮＭＰ  Ｔｒａｐを電源管理サーバ１００に送信する（ステップＳ３０）。
次に、資産情報管理・電源制御プログラム部１０１のイベント受信部１０２が、このＳＮＭＰ  Ｔｒａｐを受信し、当該メッセージ内容（送信元ＩＰアドレスおよびポート番号）を確認する（ステップＳ３１）。
【００４４】
ここで、メッセージ内容がｌｉｎｋＤｏｗｎ  Ｔｒａｐであることが確認された場合に、イベント受信部１０２は、ＳＮＭＰ  Ｔｒａｐに含まれるＩＰヘッダ、およびＰＤＵ(Ｐｒｏｔｏｃｏｌ Ｄａｔａ Ｕｎｉｔ)に基づき、受信したメッセージの送信元ＩＰアドレス、およびｌｉｎｋＤｏｗｎが発生したポート情報を取得する。
ここで、イベント受信部１０２により取得された送信元ＩＰアドレスは「１．１．１．１」、ポート番号は「２」であるものとする。
【００４５】
次いで、イベント受信部１０２は、受信したメッセージの送信元ＩＰアドレス（１．１．１．１）、およびｌｉｎｋＤｏｗｎが発生したポートを示す情報（ポート番号「２」）を資産情報管理部１０３に通知する。
【００４６】
資産情報管理部１０３は、通知されたＩＰアドレスとポート番号に基づき資産情報管理データベース（ＤＢ）１０７を検索して対応する電源部情報テーブル（図７）を取得する（ステップＳ３２）。
ここで、資産情報管理部１０３は、電源部ＩＤ（ここでは、「２」）に対して設定されたＰｏＥ受電装置がこの電源部情報テーブルに含まれるか否かを調べる（ステップＳ３３：該当する情報がある？）
【００４７】
尚、資産情報管理データベース（ＤＢ）１０７に格納された電源部情報テーブル（図７）は、一般的なＳＮＭＰマネージャの処理手法を用いて、ネットワーク上からＰｏｗｅｒ  Ｅｔｈｅｒｎｅｔ  ＭＩＢ（ＲＦＣ３６２１）を実装する装置を検出すると共に、当該検出された装置のＰｏｗｅｒ  Ｅｔｈｅｒｎｅｔ  ＭＩＢから収集された、ＰｏＥで利用される電力供給ポートの情報に基づき生成される。
【００４８】
ここで、電源部情報テーブル内に該当するＰｏＥ受電装置（ここでは、ＩＰ電話機２２であるものとする）が見つかった場合（イエス：ステップＳ３３）、資産情報管理部１０３は、このＰｏＥ給電装置１２が予め設定された電源制御ポリシーに基づく電源ＯＦＦ（遮断）を行っていないか、を電源制御部１０６に対して問い合わせる。（ステップＳ３４）
一方、電源部情報テーブル内に該当するＰｏＥ受電装置（ＩＰ電話機２２）が見つからなかった場合（ノー：ステップＳ３３）、処理を終了する。
【００４９】
次に、電源制御部１０６は、電源制御ポリシーＤＢ１０７に格納された情報を確認し、資産情報管理部１０３に対してＰｏＥ受電装置２２における受電状態に係る情報を通知する。
【００５０】
ここで、ＰｏＥ受電装置２２が電源制御を行っていない（つまり、電源ＯＦＦを行っていない）場合は（ノー：ステップＳ３４）、資産情報管理部１０３は、資産情報テーブルにおける該当するＰｏＥ受電装置（ＩＰ電話機２２）の電源部ＩＤの値を「０」とし、更には、ＰｏＥ受電装置（ＩＰ電話機）２２を接続先の検索対象（接続先検索対象）として登録する（ステップＳ３５）。
【００５１】
一方、ＰｏＥ受電装置２２が電源制御を行っている（つまり、電源ＯＦＦを行っている）場合は（イエス：ステップＳ３４）、ＰｏＥ受電装置（ＩＰ電話機２２）は、ＰｏＥ給電装置からの電力供給を遮断している状態にあると判定し、ＩＰ電話機２２を接続先の検索対象（接続先検索対象）として登録することなく、処理を終了する。
【００５２】
次に、本実施形態における、ＰｏＥ受電装置２２が移設されるときの動作処理について、図４のフローチャートに基づき説明する。
【００５３】
検索対象のＰｏＥ受電装置２２が登録されている場合に（ステップＳ４０）、資産情報管理部１０３は、ＰｏＥ受電装置（ＩＰ電話機）２２を検索対象としてから一定時間待機する（ステップＳ４１：一定時間待機）。
【００５４】
ｌｉｎｋＵｐを示すＳＮＭＰ  Ｔｒａｐが一定時間受信されない場合に（ここでは、検索対象が１のまま）、資産情報管理部１０３は、検索対象として登録されたＰｏＥ受電装置の数を示す検索対象値が１以上であるか否か確認する（ステップＳ４２）。
検索対象値が１以上である場合に（イエス：ステップＳ４２）、資産情報管理部１０３は、資産情報テーブルの電源部ＩＤ欄に登録のないＩＤを検索する（ステップＳ４３）。
尚、上記電源部ＩＤ欄に登録のないＩＤは、ＰｏＥ受電装置における利用されていない電源部（ポート）を示す空きポート情報を示す。
【００５５】
該当するＩＤが確認された場合、資産情報管理部１０３は、電源制御部１０６に対して電力供給動作起動用の命令メッセージを送信し、電源制御部１０６は、この命令メッセージに応じて、資産管理情報ＤＢ１０４の電源部情報テーブルから電源部情報（空きポート情報）を取得すると共に当該電源部情報が示す空きポートを備えたＰｏＥ給電装置を特定する。
次いで、電源制御部１０６は、上記特定されたＰｏＥ給電装置に対して制御用メッセージを送信することにより、空きポートにおける電力供給動作を起動する（電力供給動作状態をＯＮに設定する）制御を行う（ステップＳ４４）。
【００５６】
このとき、イベント受信部１０２は、上記空きポートにおける電力供給動作が起動されたことにより、ｌｉｎｋＵｐを示すＳＮＭＰ  Ｔｒａｐ（リンクアップトラップ）が検出されるか否かを監視する（ステップＳ４５）。
ここで、イベント受信部１０２がリンクアップトラップを検出した場合、つまり、ｌｉｎｋＵｐを示すＳＮＭＰ  Ｔｒａｐを受信した場合（イエス：ステップＳ４５）、ＰｏＥ受電装置（ここでは、ＩＰ電話機２２）の接続が検知された場合の処理を実行する（図５へ）。
【００５７】
また、予め設定された一定の時間ｌｉｎｋＵｐを示すＳＮＭＰ  Ｔｒａｐが検出されない場合（ノー：ステップＳ４５）、電源制御部１０６は、該当ポート（空きポート）に対して電力供給動作停止用のメッセージを送信することにより、空きポートにおける電力供給動作を停止する（ステップＳ４７）。
【００５８】
尚、ｌｉｎｋＵｐを示すＳＮＭＰ  Ｔｒａｐ（リンクアップトラップ）の発生確認（ステップＳ４５）は、検索対象数が０になるまで定期的に継続して実施される設定であってもよい。
【００５９】
次いで、資産情報管理部１０３が、検索対象として登録されたＰｏＥ受電装置の数を示す検索対象値が０であるか否か確認し（ステップＳ４８）、検索対象値が０でない場合（ノー：ステップＳ４８）、上述のように、資産情報管理・電源制御プログラム部１０１の動作状態を一定時間待機状態に設定する（ステップＳ４１へ）。一方、検索対象値が０である場合（イエス：ステップＳ４８）、ＰｏＥ受電装置の検索処理を終了する。
【００６０】
次に、イベント受信部１０２がリンクアップトラップの発生を検出した場合の、本実施形態の動作について、図５のフローチャートに基づき説明する。
【００６１】
まず、イベント受信部１０２がＳＮＭＰ  Ｔｒａｐを受信する（ステップＳ５０：リンクアップトラップ発生を検知）と共に、このＳＮＭＰ  ＴｒａｐがｌｉｎｋＵｐ  Ｔｒａｐであることを確認した場合に、イベント受信部１０２は、ＳＮＭＰ  ＴｒａｐのＩＰヘッダから送信元ＩＰアドレスを、また、ＰＤＵ（Ｐｒｏｔｏｃｏｌ  Ｄａｔａ  Ｕｎｉｔ）からｌｉｎｋＵｐが発生したポート情報を、それぞれ取得(本例では、送信元ＩＰアドレスは、「２．２．２．２」、ポート番号は「１」)し、資産情報管理部１０３に通知する（ステップＳ５１）。
【００６２】
このとき、ＰｏＥ受電装置２２は、ＤＨＣＰサーバ２００にＩＰアドレスの割当要求を行うため、ＰｏＥ給電装置１２のＭＡＣアドレステーブルのポート１の情報には、ＰｏＥ受電装置２２のＭＡＣアドレスが登録される。
【００６３】
資産情報管理部１０３は、検索対象数（電源部ＩＤ＝０のＰｏＥ受電装置の数）が１以上であることを再度確認し（ステップＳ５２）、検索対象数が１以上である場合に（イエス：ステップＳ５２）、ネットワーク検索部１０５に対して、ＭＡＣアドレステーブルの取得を指示する。
一方、検索対象数が１以上でない場合（（ノー：ステップＳ５２））、ネットワーク検索部１０５がＰｏＥ受電装置の検索処理を終了する。
【００６４】
次いで、ネットワーク検索部１０５は、送信元ＩＰアドレスに基づきＰｏＥ給電装置１２のＭＩＢ情報からＭＡＣアドレステーブルを取得する（ステップＳ５３）。
【００６５】
また、ネットワーク検索部１０５は、検索対象であるＰｏＥ受電装置２２のＭＡＣアドレスが、予め取得されたＭＡＣアドレステーブルの情報に含まれているかを確認し（ステップＳ５４）、その結果（確認結果）を資産情報管理部１０３に通知する。
【００６６】
取得したＭＡＣアドレステーブルに検索対象のＰｏＥ受電装置２２のＭＡＣアドレスが含まれていた場合（イエス：ステップＳ５４）、資産情報管理部１０３は、資産情報テーブルのＰｏＥ受電装置２２の電源部ＩＤの情報を更新する処理を行う。この処理により検索対象数は−１されるものとする（ステップＳ５５）。
ここで、本実施形態では検索対象数が０に設定され、ネットワーク検索部１０５は、ＰｏＥ受電装置の検索処理を終了する。
また、ＰｏＥ受電装置２２のＭＡＣアドレスがＭＡＣアドレステーブルの情報に含まれていない場合には（ノー：ステップＳ５２）、ネットワーク検索部１０５がＰｏＥ受電装置の検索処理を終了する。
【００６７】
電源制御ポリシーの情報を登録する処理（登録処理）の動作について、図８のフローチャートに基づき説明する。
【００６８】
まず、システム管理者が、資産情報管理・電源制御プログラム１０１に対して、電源状態をＯＮに設定する時刻、電源状態をＯＦＦに設定する時刻、適用日（平日または休日）などの情報を電源制御ポリシーの入力情報として入力（登録）する（ステップＳ８０）。
【００６９】
電源制御部１０６は、この入力情報を電源制御ポリシーテーブルに登録すると共に、登録した情報に対応する制御ポリシーＩＤを生成（発行）する（ステップＳ８１）。
【００７０】
次に、電源制御部１０６は、登録された電源制御ポリシーを、どのＰｏＥ受電装置（２１〜２３）に対して割り当てるかを、システム管理者による入力情報に基づき決定すると共に、決定された電源制御ポリシーの割当て結果を電源制御テーブルに登録することにより電源制御ポリシー情報を登録設定（適用）する（ステップＳ８２）。
【００７１】
次に、図９における制御ポリシーＩＤが「１」である場合の電源制御処理について、図１１のフローチャートに基づき説明する。
【００７２】
まず、平日の７：００になったことを予め設定されたタイマーにより検知した電源制御部１０６は、制御ポリシーＩＤ＝１を適用されたＰｏＥ受電装置（２１〜２３）を電源制御テーブルに基づき検索する（ステップＳ１１１）。
【００７３】
ここで、電源制御部１０６は検索により検出したＰｏＥ受電装置名（本例では、ＰｏＥ受電装置２１，２２であるものとする）を資産情報管理部１０３に通知する。
【００７４】
資産情報管理部１０３は、通知されたＰｏＥ受電装置名に基づき、対応する電源部ＩＤ（電源部情報）を取得する（ステップＳ１１２：ここでは、図６の電源部ＩＤ１，２）。
【００７５】
次に、資産情報管理部１０３は、電源部情報テーブルの電源部ＩＤ（＝１，２）の情報を電源制御部１０６に通知する。
電源制御部１０６は、取得したＩＰアドレス「１．１．１．１」を有するＰｏＥ給電装置１１のポート１，２に対するＭＩＢを、ＳＮＭＰ  Ｓｅｔを用いて書き換えることにより、電力供給動作を起動する制御を行う（ステップＳ１１３）。
【００７６】
また、平日の２３：００になったことを予め設定されたタイマーにより検知した、資産情報管理部１０３および電源制御部１０６は、上述と同等の処理を行うことにより、電力供給動作の停止する制御を行う。
尚、図９に示すように、制御ポリシーＩＤ２，および３である場合にも、上述と同様に、電源制御処理（図１１）が行われるものとする。
【００７７】
以上のように、本実施形態では、電源管理サーバ１００がＰｏＥ給電装置の電力供給ポートの情報（電源部）を、ＰｏＥ受電装置の資産情報の一部（電源部）として管理する（資産情報テーブル）ことにより、ＰｏＥ受電装置の新たな接続先を迅速に検知することを可能とし、これにより、ＰｏＥ受電装置における電力供給用のポート情報を正確に更新設定することができるため、移設されたＰｏＥ受電装置に対して確実に電源供給を行なうことができる。
【００７８】
上述した実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００７９】
（付記１）
受電端末に対して行う給電装置の電力供給動作を予め設定された制御ポリシーに基づき制御する電源管理装置であって、
予め前記受電端末それぞれの識別用に登録された端末識別情報を記憶する端末管理情報記憶部と、
前記給電装置の有する接続ポートにおける接続状態を示す接続状態情報を前記給電装置から取得し当該接続状態情報に基づき前記受電端末の接続先である給電装置の接続ポートを特定する接続先特定部と、
前記給電装置が前記接続ポートにおける接続断を検出した場合に、前記給電装置から送信されるリンクダウン信号に基づき前記接続断を行った受電端末および前記接続ポートを特定すると共に、この受電端末を検索対象として前記端末識別情報に対応付けて記憶する切断端末特定部と、
前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定部と、
前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを備えたことを特徴とする電源管理装置。
【００８０】
（付記２）
付記１に記載の電源管理装置において、
前記接続状態情報に基づき空き接続ポートを特定すると共に、当該空き接続ポートにおける電力供給を定期的に起動する制御を行うことにより、前記空き接続ポートに対する前記受電端末の接続を前記リンクアップ信号の発生として検出する電力供給起動接続検知部を備えたことを特徴とする電源管理装置。
【００８１】
（付記３）
付記１に記載の電源管理装置において、
前記給電制御部は、前記制御ポリシーとして予め前記受電端末に対応して設定した電源設定時刻に基づき、前記給電装置からの電力供給起動および電源供給抑制動作を制御する時刻制御機能を備えたことを特徴とする電源管理装置。
【００８２】
（付記４）
予め自己に設けられた接続ポートに接続した受電端末に対し電力供給を行う給電装置と、前記給電装置における電力供給動作を予め設定された制御ポリシーに基づき制御する電源管理装置とを備えた電力供給制御システムであって、
前記給電装置は、
前記接続ポートにおける接続断を検出した場合に前記接続断を行った接続端末にかかる情報を含むリンクダウン信号を前記電源管理サーバに送信するリンクダウン信号送信部と、前記接続ポートに対する新規接続が検出された場合に前記新規接続を行った接続端末にかかる情報を含む新規接続通知用のリンクアップ信号を前記電源管理サーバに送信するリンクアップ信号送信部とを有し、
前記電源管理装置は、
予め前記受電端末それぞれの識別用に登録された端末識別情報を記憶する端末管理情報記憶部と、
前記給電装置の接続ポートにおける接続状態を示す接続状態情報を前記給電装置から取得し当該接続状態情報に基づき前記受電端末の接続先である給電装置の接続ポートを特定する接続先特定部と、
前記接続ポートにおける接続断が検出された場合に、前記リンクダウン信号に基づき前記接続断を行った受電端末と前記接続ポートとを特定すると共にこの受電端末を検索対象として前記端末識別情報に対応付けて記憶する切断端末特定部と、
前記接続ポートに対する新規接続が検出された場合に前記リンクアップ信号に基づき前記新規接続を行った接続端末の接続先である前記給電装置および接続ポートを特定する新規接続検出特定部と、
前記リンクアップ信号に基づき前記接続端末の判別を行い当該接続端末が前記検索対象として予め登録された前記受電端末である場合に前記特定された給電装置の接続ポートにおける電力供給を起動する制御を行う給電制御部とを有することを特徴とした電力供給制御システム。
【００８３】
（付記５）
付記４に記載の電力供給制御システムにおいて、
前記電源管理装置は、前記接続状態情報に基づき空き接続ポートを特定すると共に、当該空き接続ポートにおける電力供給を定期的に起動する制御を行うことにより、前記空き接続ポートに対する前記受電端末の接続を前記リンクアップ信号の発生として検出する電力供給起動接続検知部を備えたことを特徴とする電力供給制御システム。
【００８４】
（付記６）
請求項４に記載の電力供給制御システムにおいて、
前記給電制御部は、前記制御ポリシーとして予め前記受電端末に対応して設定した電源設定時刻に基づき、前記給電装置からの電力供給起動および電源供給抑制動作を制御する時刻制御機能を備えたことを特徴とする電力供給制御システム。
【００８５】
（付記７）
予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御する電力供給制御方法であって、
前記電源管理サーバは、前記給電装置の有する接続ポートにおける接続状態を示す接続状態情報を前記給電装置から取得すると共に、当該接続状態情報に基づき前記受電端末の接続先である給電装置の接続ポートを特定し、
前記給電装置が前記接続ポートにおける接続断を検出した場合に、前記給電装置から送信されるリンクダウン信号に基づき前記接続断を行った受電端末および前記接続ポートを特定し、この受電端末を検索対象として前記受電端末の識別用に予め登録された端末識別情報に対応付けて記憶し、
前記給電装置が前記接続ポートに対する新規接続を検出した場合に前記給電装置から送信されるリンクアップ信号に基づき前記新規接続を行った接続端末の接続先である前記給電装置および接続ポートを特定し、
前記給電装置が検出した接続端末が前記検索対象として記憶された前記受電端末である場合に当該受電端末に対する前記電力供給動作を起動することを特徴とした電力供給制御方法。
【００８６】
（付記８）
予め自己に設けられた接続ポートに接続した受電端末に対し電力供給を行う給電装置と、前記給電装置における電力供給動作を予め設定された制御ポリシーに基づき制御する電源管理サーバとを備えた電力供給システムにあって、前記給電装置に対する電力供給を制御するための電力供給制御プログラムであって、
前記給電装置の有する接続ポートにおける接続状態を示す接続状態情報を前記給電装置から取得すると共に当該接続状態情報に基づき前記受電端末の接続先である給電装置の接続ポートを特定する接続先特定機能と、
前記給電装置が前記接続ポートにおける接続断を検出した場合に、前記給電装置から送信されるリンクダウン信号に基づき前記接続断を行った受電端末および前記接続ポートを特定すると共にこの受電端末を検索対象として前記受電端末の識別用に予め登録された端末識別情報に対応付けて記憶する切断端末特定機能と、
前記給電装置が前記接続ポートに対する新規接続を検出した場合に前記給電装置から送信されるリンクアップ信号に基づき前記新規接続を行った接続端末の接続先である前記給電装置および接続ポートを特定する新規接続検出特定機能と、
前記給電装置が検出した接続端末が前記検索対象として記憶された前記受電端末である場合に、当該受電端末に対する前記電力供給動作を起動する電力再供給起動機能と、
をコンピュータに実行させることを特徴とした電力供給制御プログラム。
【産業上の利用可能性】
【００８７】
本発明は、企業ＬＡＮのような大規模コンピュータネットワークを構成するノード端末間でＰｏＥを利用した給電を行うＰｏＥ給電ネットワークシステムに対して、有効に適用することができる。
【符号の説明】
【００８８】
１１、１２  ＰｏＥ給電装置
２１、２２、２３  ＰｏＥ受電装置
１００  電源管理サーバ
１０１  電源制御プログラム部
１０２  イベント受信部
１０３  資産情報管理部
１０４  資産情報管理データベース
１０５  ネットワーク検索部
１０６  電源制御部
１０７  電源制御ポリシーデータベース
２００  ＤＨＣＰサーバ
【図１】
0005499917.tif 000002
【図２】
0005499917.tif 000003
【図３】
0005499917.tif 000004
【図４】
0005499917.tif 000005
【図５】
0005499917.tif 000006
【図６】
0005499917.tif 000007
【図７】
0005499917.tif 000008
【図８】
0005499917.tif 000009
【図９】
0005499917.tif 000010
【図１０】
0005499917.tif 000011
【図１１】
0005499917.tif 000012